(57)【要約】【課題】ネットワーク通信が可能な場合に生じうる、後に接続を確立した装置が、既に接続が確立されている装置側のデータを盗用する問題を未然に防止し、また、通信終了後の履歴からの個人情報又は秘密情報の流出を未然に防止可能な通信システム、情報処理システム、画像形成システム、画像形成装置及び携帯情報端末装置を提供する。【解決手段】画像形成装置１は、いったん携帯電話機２との接続が確立した後は、他の装置からの無線通信部１６への接続確立の要求を拒否する。また、いったん携帯電話機２との接続が確立した後は、リーダライタ１５を介した無線通信部１６のアドレスの送信を中止する。画像形成装置１及び携帯電話機２はデータの送受信が終了した後、前記送受信に用いられ、夫々が記憶している相手装置のアドレスを削除する。【選択図】図２
2010206512.tif 000002
【特許請求の範囲】
【請求項１】
複数の無線通信手段を夫々備え、互いに通信する第１通信装置及び第２通信装置を有する通信システムにおいて、
前記第１通信装置は、
前記第２通信装置との接続を確立して通信を行う第１通信手段と、
第１通信装置用の識別データを、前記第２通信装置に送信する第２通信手段と、
前記第２通信装置との接続を確立した後は、他装置からの接続確立の要求を拒否する接続拒否手段とを備えており、
前記第２通信装置は、
前記第１通信装置用の識別データを受信する第３通信手段と、
前記第３通信手段によって受信した第１通信装置用の識別データを用い、前記第１通信手段との接続を確立して通信を行う第４通信手段と
を備えていることを特徴とする通信システム。
【請求項２】
前記第１通信装置は、
前記第２通信装置との接続を確立した後は、前記第２通信手段による前記第１通信装置用の識別データの送信を中止させる送信中止手段を備えていることを特徴とする請求項１に記載の通信システム。
【請求項３】
前記第２通信装置は、  
受信した第１通信装置用の識別データを記憶する第１記憶手段と、
前記第４通信手段による通信の終了後、前記第１通信装置用の識別データを消去する第１消去手段と
を備えていることを特徴とする請求項１に記載の通信システム。
【請求項４】
前記第１通信装置は、
第２通信装置用の識別データを受信して記憶する第２記憶手段と、
前記第１通信手段による通信の終了後、前記第２通信装置用の識別データを消去する第２消去手段と
を備えていることを特徴とする請求項１に記載の通信システム。
【請求項５】
前記第２通信手段及び第３通信手段はＲＦＩＤシステムを用いた通信を行うように構成され、
前記第１通信手段及び第４通信手段は、前記ＲＦＩＤシステムより遠距離での無線通信を行うように構成されていることを特徴とする請求項１に記載の通信システム。
【請求項６】
前記第１記憶手段は、受信した第１通信装置用の識別データを、前記ＲＦＩＤシステム内の記憶領域中の、フリーエリアに記憶するように構成されていることを特徴とする請求項３に記載の通信システム。
【請求項７】
通信端末装置と、該通信端末装置からデータを取得して、該データの処理を行う情報処理装置とを備える情報処理システムにおいて、
前記情報処理装置は、
前記通信端末装置との接続を確立してデータを送受信する第１送受信手段と、
情報処理装置用の識別データを、前記通信端末装置に送信する第１送信手段と、
前記通信端末装置との接続を確立した後は、他装置からの接続確立の要求を拒否する接続拒否手段とを備えており、
前記通信端末装置は、
前記情報処理装置用の識別データを受信する第１受信手段と、  
前記第１受信手段によって受信した情報処理装置用の識別データを用い、前記第１送受信手段との接続を確立してデータを送受信する第２送受信手段と
を備えていることを特徴とする情報処理システム。
【請求項８】
前記情報処理装置は、
表示部と、
前記通信端末装置が有するコンテンツデータを取得する取得手段と、
該取得手段が取得したコンテンツデータに係る画像を前記表示部に表示する表示手段と
を備えていることを特徴とする請求項７に記載の情報処理システム。
【請求項９】
前記情報処理装置は、
データの処理における、異常発生又は正常終了の旨を、前記通信端末装置に通知する通知手段を備えていることを特徴とする請求項７に記載の情報処理システム。
【請求項１０】
携帯通信装置と、該携帯通信装置からデータを取得して、該データに基づく画像を形成する画像形成装置とを備える画像形成システムにおいて、
前記画像形成装置は、
前記携帯通信装置との接続を確立してデータを送受信する第１送受信手段と、
画像形成装置用の識別データを、前記携帯通信装置に送信する第１送信手段と、
前記携帯通信装置との接続を確立した後は、他装置からの接続確立の要求を拒否する接続拒否手段とを備えており、
前記携帯通信装置は、
前記画像形成装置用の識別データを受信する第１受信手段と、
前記第１受信手段によって受信した画像形成装置用の識別データを用い、前記第１送受信手段との接続を確立してデータを送受信する第２送受信手段と
を備えていることを特徴とする画像形成システム。
【請求項１１】
前記画像形成装置は、
前記携帯通信装置との接続を確立した後は、前記第１送信手段による前記画像形成装置用の識別データの送信を中止させる送信中止手段を備えていることを特徴とする請求項１０に記載の画像形成システム。
【請求項１２】
前記画像形成装置は、
表示部と、
前記携帯通信装置が有するコンテンツデータを取得する取得手段と、
該取得手段が取得したコンテンツデータに係る画像を前記表示部に表示する表示手段と
を備えていることを特徴とする請求項１０に記載の画像形成システム。
【請求項１３】
前記画像形成装置は、
画像の形成における、異常発生又は正常終了の旨を、前記携帯通信装置に通知する通知手段を備えていることを特徴とする請求項１０に記載の画像形成システム。
【請求項１４】
前記携帯通信装置は、
記憶しているコンテンツデータに基づく画像を表示する表示部を備えており、
任意のコンテンツデータに係る画像を前記表示部に表示して前記第１送信手段から所定距離以内に接近した場合、前記第２送受信手段が前記任意のコンテンツデータを前記第１送受信手段に送信するように構成されていることを特徴とする請求項１０に記載の画像形成システム。
【請求項１５】
外部から画像データを取得して、該画像データに基づく画像を形成する画像形成装置において、
一の装置との接続を確立して画像データを受信する受信手段と、
自機の識別データを、前記一の装置に送信する送信手段と、
前記一の装置との接続を確立した後は、他の装置からの接続確立の要求を拒否する接続拒否手段と
を備えていることを特徴とする画像形成装置。
【請求項１６】
前記一の装置との接続を確立した後は、前記送信手段による自機の識別データの送信を中止させる送信中止手段を備えていることを特徴とする請求項１５に記載の画像形成装置。
【請求項１７】
表示部と、
前記受信手段が受信した画像データに係る画像を前記表示部に表示する表示手段と
を備えていることを特徴とする請求項１５に記載の画像形成装置。
【請求項１８】
画像の形成における、異常発生又は正常終了の旨を、前記一の装置に通知する通知手段を備えていることを特徴とする請求項１５に記載の画像形成装置。
【請求項１９】
外部と通信を行う携帯情報端末装置において、
一の装置との接続を確立してデータを送受信する第１通信手段と、
前記一の装置の識別データを受信する第２通信手段と、
前記一の装置との接続を確立した後は、他の装置からの接続確立の要求を拒否する接続拒否手段と
を備えていることを特徴とする携帯情報端末装置。
【請求項２０】
受信した一の装置の識別データを記憶する記憶手段と、
前記第１通信手段が前記識別データを用いてデータを送受信した後、前記識別データを消去する消去手段と
を備えていることを特徴とする請求項１９に記載の携帯情報端末装置。
【請求項２１】
記憶しているコンテンツデータに基づく画像を表示する表示部を備えており、
任意のコンテンツデータに係る画像を前記表示部に表示して前記他の装置から所定距離以内に接近した場合、前記第１通信部が前記任意のコンテンツデータを前記他の装置に送信するように構成されていることを特徴とする請求項１９に記載の携帯情報端末装置。
【発明の詳細な説明】
【技術分野】
【０００１】
本発明は、第１通信装置及び第２通信装置を有する通信システム、第１通信装置を有する通信端末装置及び第２通信装置を有する情報処理装置を備える情報処理システム、携帯通信装置と、該携帯通信装置からデータを取得して、該データに基づく画像を形成する画像形成装置とを有する画像形成システム、外部装置から画像データを取得して画像を形成する画像形成装置、及び外部と通信を行う携帯情報端末装置に関する。
【背景技術】
【０００２】
最近、カメラ機能が搭載された携帯電話機が普及されており、何時でも、何処でも、お手軽にデジタル写真の撮影ができる。また、携帯電話機に装着されたメモリーが大容量化しており、デジタル写真、ビジネス文書等のデータを保存する、パーソナルな記憶デバイスとしての利用例も増えている。また、携帯電話機の小型化、薄型化等に伴い、携帯電話機のメモリーも指先程度、又は指先より小さな大きさを有するいわゆるカード形が採用されている。
【０００３】
特許文献１では、ユーザが自分の非接触ＩＤカード（又は該非接触ＩＤカードを内蔵した無線通信機器）を画像処理装置のカードリーダライタ部に近づけた場合、前記非接触ＩＤカードのＩＣチップが、前記カードリーダライタ部から常に出されている、前記画像処理装置のＩＤを示す端末ＩＤを含んだ微弱な電波を受信して、前記端末ＩＤを取得し、該端末ＩＤを用いて非接触ＩＤカードのユーザＩＤを画像処理装置へ送信する無線通信方法が開示されている。
【０００４】
一方、特許文献２では、パーソナルコンピュータのリーダライタと電磁波により通信する非接触ＩＣカードが設けられている携帯電話機を、ユーザが前記パーソナルコンピュータに近接させることにより、前記リーダライタから輻射される電磁波が前記非接触ＩＣカードにおいて受信されたとき、前記携帯電話機は、前記非接触ＩＣカードに設定されているカードＩＤを前記パーソナルコンピュータに通知し、該パーソナルコンピュータは、通知されたカードＩＤに基づいて、前記携帯電話機を識別し、通信相手として特定する通信システムが開示されている。
【先行技術文献】
【特許文献】
【０００５】
【特許文献１】特開２００７−２６７３７０号公報
【特許文献２】特開２００３−３２１７６号公報
【発明の概要】
【発明が解決しようとする課題】
【０００６】
一方、ユーザが前記携帯電話機のメモリー内に保存したデジタル写真、ビジネス文書等のデータを印刷する方法としては、前記携帯電話機のメモリーを画像形成装置の読み取り装置に直接つないで印刷すべきデータ（以下、印刷データ）を前記画像形成装置に送信して印刷を行う方法と、前記携帯電話機と無線のデータ送受信可能な画像形成装置に無線で印刷データを送信して印刷を行う方法等がある。
【０００７】
上記の前記携帯電話機のメモリーを画像形成装置の読み取り装置に直接つなぐ方法の場合は、カード型のメモリーを前記携帯電話機から引き出し、前記画像形成装置のメモリーカードリーダに挿入して行う必要がある。また、印刷が完了した後は、再び、カード型のメモリーを前記携帯電話機に挿入する必要があり、非常に煩わしい作業が要求されるうえに、印刷の完了後に、前記画像形成装置のメモリーカードリーダからカード型のメモリーを抜き忘れする恐れもある。
【０００８】
また、画像形成装置に無線で印刷データを送信して印刷を行う方法としては、例えば、Ｂｌｕｅｔｏｏｔｈ（登録商標）技術による無線通信を行う場合、ＲＦＩＤシステムを用いた無線通信を行う場合、前記携帯電話機及び画像形成装置の間で赤外線通信が行われる場合等がある。
【０００９】
Ｂｌｕｅｔｏｏｔｈ技術による無線通信を行う場合においては、双方の機器間を通信可能な状態に設定（認証）を行う操作が必要である。例えば、前記携帯電話機及び画像形成装置が、共にＢｌｕｅｔｏｏｔｈ対応可能であって、互いにＢｌｕｅｔｏｏｔｈ技術による無線通信を行う場合、通称ペアリング（又はボンディング）と呼ばれる設定操作によって相手を特定し、双方を通信可能な状態に設定する必要がある。
【００１０】
しかしながら、前記ペアリングには複雑で面倒な操作が必要である。例えば、ユーザが前記携帯電話機のメモリー内の画像データを、画像形成装置を用いて印刷する場合、ユーザは前記携帯電話機を用いて、所定半径範囲（例えば、１００ｍ）の無線通信可能な画像形成装置を検索し、該検索の結果として前記携帯電話機の表示部に表示される複数の画像形成装置のＢｌｕｅｔｏｏｔｈアドレスの中から、前記画像形成装置のＢｌｕｅｔｏｏｔｈアドレスを判別することを必要とするが、前記判別は非常に難しい作業である。なお、前記判別が正常的に行われたとしても、その後、双方を通信可能な状態に設定するための細かい操作が更に必要である。なお、前記画像形成装置が、コンビニエンスストアに設置された貸し出しの画像形成装置である場合は、新規のユーザが多いので、はじめての無線通信が多く、その都度前記ペアリングを行う必要もある。
【００１１】
一方、前記携帯電話機及び画像形成装置の間で赤外線通信が行われる場合には、ユーザは、前記印刷データを無線で送信する間、印刷すべき前記携帯電話機の赤外線ポートと、画像形成装置の赤外線ポートとを向き合わせた状態で、前記携帯電話機を所定時間固定する煩雑な操作も必要である。
【００１２】
また、例えば、Ｆｅｌｉｃａ（登録商標）、Ｅｄｙ（登録商標）等のＲＦＩＤシステムを用いた無線通信を行う場合、通信速度が遅いことから、前記印刷データを無線で送信するために、前記携帯電話を前記画像形成装置に所定時間かざしておく必要がる。
【００１３】
これらを簡単に行う方法として特許文献１の無線通信方法及び特許文献２の通信システムが知られている。すなわち、特許文献１の無線通信方法及び特許文献２の通信システムは何れも、いわゆるＲＦＩＤシステムを用い、非接触ＩＤカード（非接触ＩＣカード）を画像処理装置のカードリーダライタ部（パーソナルコンピュータのリーダライタ）に近づけた場合は、自動的に非接触ＩＤカードのユーザＩＤ（非接触ＩＣカードのカードＩＤ）を画像処理装置（パーソナルコンピュータ）へ送信するように構成されている。しかしながら、特許文献１の無線通信方法及び特許文献２の通信システムでは以下のような問題を抱えている。
【００１４】
特許文献１の無線通信方法及び特許文献２の通信システムでは、上述したように、非接触ＩＤカード（非接触ＩＣカード）を画像処理装置のカードリーダライタ部（パーソナルコンピュータのリーダライタ）に近づける操作だけで、自動的に非接触ＩＤカードのユーザＩＤ（非接触ＩＣカードのカードＩＤ）を画像処理装置（パーソナルコンピュータ）へ送信して接続が確立されるので、既に画像処理装置との接続が確立されている状態で、悪意を持つ第３者が前記操作を行った場合、更に画像処理装置との接続が確立されてネットワーク通信が可能となり、既に接続が確立されている側の非接触ＩＤカード（非接触ＩＣカード）のデータ（例えば、個人情報）を改竄したり盗んだりする虞がある。
【００１５】
また、特許文献１の無線通信方法及び特許文献２の通信システムでは、以前に前記画像処理装置との通信を行ったことがあり、該画像処理装置にその履歴が残っているユーザが、他のユーザが既に接続が確立されている状態で、前記履歴を利用して前記画像処理装置との通信を図った場合、更に画像処理装置との接続が確立されてネットワーク通信が可能となり、既に接続が確立されている側の非接触ＩＤカード（非接触ＩＣカード）のデータを改竄したり盗んだりする虞がある。
【００１６】
本発明は、斯かる事情に鑑みてされたものであり、その目的とするところは、複数の無線通信手段を備え、互いに通信を行う第１通信装置（通信端末装置）及び第２通信装置（情報処理装置）を有する通信システム（情報処理システム）において、相手装置に自機の識別データを送信し、接続確立を容易にする一方、一の装置との接続を確立した後は、他の装置から前記複数の無線通信手段の何れへの接続確立の要求を拒否することにより、上述したようにネットワーク通信が可能である場合、既に接続が確立されている装置側のデータの盗用を未然に防止することが出来るうえ、通信（データの送受信）が終了した後は、該通信に用いられた相手装置の識別データを削除することにより、上述したような個人情報又は秘密情報の流出を未然に防止可能であり、また、各装置において制限されている記憶領域をより有効に使用できる通信システム及び情報処理システムを提供することにある。
【００１７】
本発明の他の目的は、携帯通信装置と、該携帯通信装置からデータを取得して、該データに基づく画像を形成する画像形成装置とを備える画像形成システムにおいて、相手装置に自機の識別データを送信し、接続確立を容易にする一方、前記画像形成装置は前記携帯通信装置との接続を確立した後は、他装置からの接続確立の要求を拒否することにより、上述したようにネットワーク通信が可能である場合、既に接続が確立されている装置側のデータの盗用を未然に防ぐことが出来るうえ、データの送受信が終了した後は、該送受信に用いられた相手装置の識別データを削除することにより、上述したような個人情報又は秘密情報の流出を未然に防止可能であり、また、制限されている記憶領域をより有効に使用できる画像形成システムを提供することにある。
【００１８】
また、本発明の他の目的は、外部から画像データを取得して、該画像データに基づく画像を形成する画像形成装置において、相手装置に自機の識別データを送信し、接続確立を容易にする一方、外部の一の装置との接続を確立した後は、他の装置からの接続確立の要求を拒否することにより、上述したようにネットワーク通信が可能である場合、既に接続が確立されている装置側のデータの盗用を未然に防ぐことが出来るうえ、画像データの取得が終了した後は、該画像データの取得に用いられた相手装置の識別データを削除することにより、上述したような個人情報又は秘密情報の流出を未然に防止可能であり、また、制限されている記憶領域をより有効に使用できる画像形成装置を提供することにある。
【００１９】
また、本発明の他の目的は、外部と通信を行う携帯情報端末装置において、外部の一の装置との接続を確立した後は、他の装置からの接続確立の要求を拒否することにより、上述したようにネットワーク通信が可能である場合、既に接続が確立されている装置側のデータの盗用を未然に防ぐことが出来るうえ、前記一の装置との通信が終了した後は、該通信に用いられた相手装置の識別データを削除することにより、上述したような個人情報又は秘密情報の流出を未然に防止可能であり、また、制限されている記憶領域をより有効に使用できる携帯情報端末装置を提供することにある。
【課題を解決するための手段】
【００２０】
本発明に係る通信システムは、複数の無線通信手段を夫々備え、互いに通信する第１通信装置及び第２通信装置を有する通信システムにおいて、前記第１通信装置は、前記第２通信装置との接続を確立して通信を行う第１通信手段と、第１通信装置用の識別データを、前記第２通信装置に送信する第２通信手段と、前記第２通信装置との接続を確立した後は、他装置からの接続確立の要求を拒否する接続拒否手段とを備えており、前記第２通信装置は、前記第１通信装置用の識別データを受信する第３通信手段と、前記第３通信手段によって受信した第１通信装置用の識別データを用い、前記第１通信手段との接続を確立して通信を行う第４通信手段とを備えていることを特徴とする。
【００２１】
本発明にあっては、前記第１通信装置及び第２通信装置の間で接続を確立して通信を行う際には、前記第１通信装置の前記第２通信手段が前記第１通信装置用の識別データを取得し、該識別データを前記第２通信装置の第３通信手段に送信する。該第３通信手段が前記識別データを受信した場合、第２通信装置の前記第４通信手段が前記第３通信手段を介して前記識別データを取得し、該識別データを用いて前記第１通信装置の第１通信手段との接続を確立する。このようにして、接続が確立した後は、前記接続拒否手段は、接続が確立された相手装置以外の他装置からの接続の要求を拒否する。
【００２２】
本発明に係る通信システムは、前記第１通信装置は、前記第２通信装置との接続を確立した後は、前記第２通信手段による前記第１通信装置用の識別データの送信を中止させる送信中止手段を備えていることを特徴とする。
【００２３】
本発明にあっては、上述したように、前記第１通信装置（第１通信手段）と第２通信装置（第４通信手段）との接続が確立した後は、前記送信中止手段は、前記第２通信手段による前記第１通信装置用の識別データの送信を中止させ、接続が確立された相手装置以外の他装置からの接続の要求を抑制する。
【００２４】
本発明に係る通信システムは、前記第２通信装置は、受信した第１通信装置用の識別データを記憶する第１記憶手段と、前記第４通信手段による通信の終了後、前記第１通信装置用の識別データを消去する第１消去手段とを備えていることを特徴とする。
【００２５】
本発明にあっては、前記第２通信装置の第１記憶手段は、前記第３通信手段が受信した第１通信装置用の識別データを記憶し、前記第４通信手段による通信が終了した後は、前記第１消去手段が前記第１通信装置用の識別データを前記第１記憶手段から消去する。
【００２６】
本発明に係る通信システムは、前記第１通信装置は、第２通信装置用の識別データを受信して記憶する第２記憶手段と、前記第１通信手段による通信の終了後、前記第２通信装置用の識別データを消去する第２消去手段とを備えていることを特徴とする。
【００２７】
本発明にあっては、前記第１通信装置が第２通信装置用の識別データを受信した場合、前記第２記憶手段が受信した第２通信装置用の識別データを記憶し、前記第１通信手段による通信が終了した場合、前記第２消去手段が前記第２通信装置用の識別データを前記第２記憶手段から消去する。
【００２８】
本発明に係る通信システムは、前記第２通信手段及び第３通信手段はＲＦＩＤシステムを用いた通信を行うように構成され、前記第１通信手段及び第４通信手段は、前記ＲＦＩＤシステムより遠距離での無線通信を行うように構成されていることを特徴とする。
【００２９】
本発明にあっては、例えば、前記第３通信手段及び第２通信手段は、夫々接触又は非接触ＩＣカード及びカードリーダであって、ＲＦＩＤシステムを用いた通信を行い、前記第１通信手段及び第４通信手段は共にＢｌｕｅｔｏｏｔｈ対応デバイスであって、前記ＲＦＩＤシステムを用いた通信より遠距離での無線通信を行う。
【００３０】
本発明に係る通信システムは、前記第１記憶手段は、受信した第１通信装置用の識別データを、前記ＲＦＩＤシステム内の記憶領域中の、フリーエリアに記憶するように構成されていることを特徴とする。
【００３１】
本発明にあっては、前記第２通信装置の第３通信手段が、第１通信装置用の識別データを受信した場合、前記第１記憶手段が前記ＲＦＩＤシステム内の記憶領域中の、フリーエリアに、受信した第１通信装置用の識別データを記憶する。
【００３２】
本発明に係る情報処理システムは、通信端末装置と、該通信端末装置からデータを取得して、該データの処理を行う情報処理装置とを備える情報処理システムにおいて、前記情報処理装置は、前記通信端末装置との接続を確立してデータを送受信する第１送受信手段と、情報処理装置用の識別データを、前記通信端末装置に送信する第１送信手段と、前記通信端末装置との接続を確立した後は、他装置からの接続確立の要求を拒否する接続拒否手段とを備えており、前記通信端末装置は、前記情報処理装置用の識別データを受信する第１受信手段と、前記第１受信手段によって受信した情報処理装置用の識別データを用い、前記第１送受信手段との接続を確立してデータを送受信する第２送受信手段とを備えていることを特徴とする。
【００３３】
本発明にあっては、前記通信端末装置及び情報処理装置の間で接続を確立してデータの送受信を行う際には、前記情報処理装置の第１送信手段が前記情報処理装置用の識別データを取得し、前記通信端末装置の第１受信手段に送信する。該第１受信手段が前記情報処理装置用の識別データを受信した場合、前記通信端末装置の第２送受信手段が前記情報処理装置用の識別データを取得し、該情報処理装置用の識別データを用いて前記情報処理装置の第１送受信手段との接続を確立する。このようにして、接続が確立した後は、前記接続拒否手段は、接続が確立された相手装置以外の他装置からの接続の要求を拒否する。
【００３４】
本発明に係る情報処理システムは、前記情報処理装置は、表示部と、前記通信端末装置が有するコンテンツデータを取得する取得手段と、該取得手段が取得したコンテンツデータに係る画像を前記表示部に表示する表示手段とを備えていることを特徴とする。
【００３５】
本発明にあっては、前記情報処理装置の取得手段が、前記通信端末装置が有するコンテンツデータを取得し、前記表示手段は前記取得手段が取得したコンテンツデータに係る画像を前記表示部に表示する。
【００３６】
本発明に係る情報処理システムは、前記情報処理装置は、データの処理における、異常発生又は正常終了の旨を、前記通信端末装置に通知する通知手段を備えていることを特徴とする。
【００３７】
本発明にあっては、前記情報処理装置が前記通信端末装置からデータを取得し、該データの処理（例えば、前記データに基づく画像の生成、変倍、回転等）を行う際に、異常が発生した場合、又は正常に終了した場合は、その旨を、前記通知手段が前記通信端末装置に通知する。
【００３８】
本発明に係る画像形成システムは、携帯通信装置と、該携帯通信装置からデータを取得して、該データに基づく画像を形成する画像形成装置とを備える画像形成システムにおいて、前記画像形成装置は、前記携帯通信装置との接続を確立してデータを送受信する第１送受信手段と、画像形成装置用の識別データを、前記携帯通信装置に送信する第１送信手段と、前記携帯通信装置との接続を確立した後は、他装置からの接続確立の要求を拒否する接続拒否手段とを備えており、前記携帯通信装置は、前記画像形成装置用の識別データを受信する第１受信手段と、前記第１受信手段によって受信した画像形成装置用の識別データを用い、前記第１送受信手段との接続を確立してデータを送受信する第２送受信手段とを備えていることを特徴とする。
【００３９】
本発明にあっては、前記携帯通信装置及び画像形成装置の間でデータの送受信を行う際には、前記画像形成装置の前記第１送信手段が前記画像形成装置用の識別データを取得し、該識別データを前記携帯通信装置の第１受信手段に送信する。該第１受信手段が前記識別データを受信した場合、前記携帯通信装置の前記第２送受信手段が前記識別データを取得し、該識別データを用いて前記画像形成装置の第１送受信手段との接続の確立を行う。このようにして、接続が確立した後は、前記接続拒否手段は、接続が確立された相手装置以外の他装置からの接続の要求を拒否する。
【００４０】
本発明に係る画像形成システムは、前記画像形成装置は、前記携帯通信装置との接続を確立した後は、前記第１送信手段による前記画像形成装置用の識別データの送信を中止させる送信中止手段を備えていることを特徴とする。
【００４１】
本発明にあっては、上述したように、前記画像形成装置（第１送受信手段）と携帯通信装置（第２送受信手段）との接続が確立した後は、前記送信中止手段は、前記第１送信手段による前記画像形成装置用の識別データの送信を中止させ、接続が確立された相手装置以外の他装置からの接続の要求を抑制する。
【００４２】
本発明に係る画像形成システムは、前記画像形成装置は、表示部と、前記携帯通信装置が有するコンテンツデータを取得する取得手段と、該取得手段が取得したコンテンツデータに係る画像を前記表示部に表示する表示手段とを備えていることを特徴とする。
【００４３】
本発明にあっては、前記画像形成装置の取得手段が、前記携帯通信装置が有するコンテンツデータを取得し、前記表示手段は前記取得手段が取得したコンテンツデータに係る画像を前記表示部に表示する。
【００４４】
本発明に係る画像形成システムは、前記画像形成装置は、画像の形成における、異常発生又は正常終了の旨を、前記携帯通信装置に通知する通知手段を備えていることを特徴とする。
【００４５】
本発明にあっては、前記画像形成装置が前記携帯通信装置からデータを取得し、該データに基づく画像を形成する際に、異常が発生した場合、又は正常に終了した場合は、その旨を、前記通知手段が前記携帯通信端装置に通知する。
【００４６】
本発明に係る画像形成システムは、前記携帯通信装置は、記憶しているコンテンツデータに基づく画像を表示する表示部を備えており、任意のコンテンツデータに係る画像を前記表示部に表示して前記第１送信手段から所定距離以内に接近した場合、前記第２送受信手段が前記任意のコンテンツデータを前記第１送受信手段に送信するように構成されていることを特徴とする。
【００４７】
本発明にあっては、例えば前記携帯通信装置のユーザが希望する画像を前記表示部に表示させた状態で、前記画像形成装置の第１送信手段にかざした場合、第２送受信手段は、前記画像に係る画像データを、前記画像形成装置の第１送受信手段に送信する。
【００４８】
本発明に係る画像形成装置は、外部から画像データを取得して、該画像データに基づく画像を形成する画像形成装置において、一の装置との接続を確立して画像データを受信する受信手段と、自機の識別データを、前記一の装置に送信する送信手段と、前記一の装置との接続を確立した後は、他の装置からの接続確立の要求を拒否する接続拒否手段とを備えていることを特徴とする。
【００４９】
本発明にあっては、前記画像形成装置が外部の装置から画像データを受信する際、前記送信手段が自機の識別データを前記装置に送信する。前記識別データを受信した前記装置は、前記識別データを用いて前記受信手段との接続を確立し、画像データを送信することが出来る。このようにして、接続が確立した後は、前記接続拒否手段は、接続が確立された相手装置以外の他装置からの接続の要求を拒否する。
【００５０】
本発明に係る画像形成装置は、前記一の装置との接続を確立した後は、前記送信手段による自機の識別データの送信を中止させる送信中止手段を備えていることを特徴とする。
【００５１】
本発明にあっては、上述したように、前記一の装置との接続を確立した後は、前記送信中止手段は前記送信手段による自機の識別データの送信を中止させる。
【００５２】
本発明に係る画像形成装置は、表示部と、前記受信手段が受信した画像データに係る画像を前記表示部に表示する表示手段とを備えていることを特徴とする。
【００５３】
本発明にあっては、前記受信手段が画像データを受信した場合、前記表示手段は前記受信手段が受信した画像データに係る画像を前記表示部に表示する。
【００５４】
本発明に係る画像形成装置は、画像の形成における、異常発生又は正常終了の旨を、前記一の装置に通知する通知手段を備えていることを特徴とする。
【００５５】
本発明にあっては、前記受信手段が例えば、外部の装置から画像データを受信し、該画像データに基づく画像の形成を行う際に、異常が発生した場合、又は正常に終了した場合は、その旨を、前記通知手段が外部の装置に通知する。
【００５６】
本発明に係る携帯情報端末装置は、外部と通信を行う携帯情報端末装置において、一の装置との接続を確立してデータを送受信する第１通信手段と、前記一の装置の識別データを受信する第２通信手段と、前記一の装置との接続を確立した後は、他の装置からの接続確立の要求を拒否する接続拒否手段とを備えていることを特徴とする。
【００５７】
本発明にあっては、外部の一の装置との通信の際には、前記第２通信手段が前記一の装置の識別データを受信し、該識別データを用いて前記第１通信手段が前記一の装置との接続を確立してデータの送受信を行う。このようにして、接続が確立した後は、前記接続拒否手段は、接続が確立された相手装置以外の他装置からの接続の要求を拒否する。
【００５８】
本発明に係る携帯情報端末装置は、受信した一の装置の識別データを記憶する記憶手段と、前記第１通信手段が前記識別データを用いてデータを送受信した後、前記識別データを消去する消去手段とを備えていることを特徴とする。
【００５９】
本発明にあっては、前記第１通信手段によるデータの送受信が終了した後、前記消去手段は、前記記憶手段が記憶している前記一の装置の識別データを消去する。
【００６０】
本発明に係る携帯情報端末装置は、記憶しているコンテンツデータに基づく画像を表示する表示部を備えており、任意のコンテンツデータに係る画像を前記表示部に表示して前記他の装置から所定距離以内に接近した場合、前記第１通信部が前記任意のコンテンツデータを前記他の装置に送信するように構成されていることを特徴とする。
【００６１】
本発明にあっては、例えば前記携帯情報端末装置及び前記一の装置が夫々携帯電話機及び複合機である場合、前記携帯電話機のユーザが希望する画像を前記表示部に表示させた状態で、前記複合機（一の装置）にかざすことにより、前記画像に係る画像データが前記第１通信手段を介して前記複合機に送信される。
【発明の効果】
【００６２】
本発明によれば、複数の無線通信手段を備え、互いに通信を行う第１通信装置（通信端末装置）及び第２通信装置（情報処理装置）を有する通信システム（情報処理システム）において、相手装置に自機の識別データを送信し、接続確立を容易にする一方、一の装置との接続を確立した後は、他の装置から前記複数の無線通信手段の何れへの接続確立の要求を拒否するので、前記第２通信手段（第１送信手段）から前記識別データを受信した第２通信装置（通信端末装置）のみが前記第１通信装置（情報処理装置）との通信ができ、上述したようにネットワーク通信が可能である場合、既に接続が確立されている装置側のデータの盗用を未然に防止することが出来るうえ、通信（データの送受信）が終了した後は、該通信に用いられた相手装置の識別データを削除することにより、上述したような個人情報又は秘密情報の流出を未然に防止可能であり、また、各装置において制限されている記憶領域をより有効に使用できる。
【００６３】
本発明によれば、携帯通信装置と、該携帯通信装置からデータを取得して、該データに基づく画像を形成する画像形成装置とを備える画像形成システムにおいて、相手装置に自機の識別データを送信し、接続確立を容易にする一方、前記画像形成装置は前記携帯通信装置との接続を確立した後は、他装置からの接続確立の要求を拒否するので、前記第１送信手段から前記識別データを受信した携帯通信装置のみが前記画像形成装置との通信ができ、上述したようにネットワーク通信が可能である場合、既に接続が確立されている装置側のデータの盗用を未然に防ぐことが出来るうえ、送受信が終了した後は、該送受信に用いられた相手装置の識別データを削除することにより、上述したような個人情報又は秘密情報の流出を未然に防止可能であり、また、制限されている記憶領域をより有効に使用できる。
【００６４】
本発明によれば、外部から画像データを取得して、該画像データに基づく画像を形成する画像形成装置において、相手装置に自機の識別データを送信し、接続確立を容易にする一方、外部の一の装置との接続を確立した後は、他の装置からの接続確立の要求を拒否するので、前記送信手段から前記識別データを受信した一の装置のみが前記画像形成装置との通信ができ、上述したようにネットワーク通信が可能である場合、既に接続が確立されている装置側のデータの盗用を未然に防ぐことが出来るうえ、画像データの取得が終了した後は、該画像データの取得に用いられた相手装置の識別データを削除することにより、上述したような個人情報又は秘密情報の流出を未然に防止可能であり、また、制限されている記憶領域をより有効に使用できる。
【００６５】
本発明によれば、外部と通信を行う携帯情報端末装置において、外部の一の装置との接続を確立した後は、他の装置からの接続確立の要求を拒否するので、前記第２通信手段から前記識別データを受信した一の装置のみが前記携帯情報端末装置との送受信ができ、上述したようにネットワーク通信が可能である場合、既に接続が確立されている装置側のデータの盗用を未然に防ぐことが出来るうえ、前記一の装置との送受信が終了した後は、該送受信に用いられた相手装置の識別データを削除することにより、上述したような個人情報又は秘密情報の流出を未然に防止可能であり、また、制限されている記憶領域をより有効に使用できる。
【図面の簡単な説明】
【００６６】
【図１】本発明の実施の形態１に係る通信システム、情報処理システム及び画像形成システムの概念図である。
【図２】本発明の実施の形態１に係る通信システム、情報処理システム及び画像形成システムの要部構成を示すブロック図である。
【図３】本発明の実施の形態１に係る通信システム、情報処理システム及び画像形成システムにおける、画像形成装置及び携帯電話機の制御部のＣＰＵによる処理手順を示すフローチャートである。
【図４】本発明の実施の形態１に係る通信システム、情報処理システム及び画像形成システムにおける、画像形成装置及び携帯電話機の制御部のＣＰＵによる処理手順を示すフローチャートである。
【図５】本発明の実施の形態１に係る通信システム、情報処理システム及び画像形成システムにおける、携帯電話機の接触・非接触ＩＣカードの記憶領域の構成を説明するための説明図である。
【図６】画像形成装置の表示部に表示されるファイル名一覧の画面の一例を示す例示図である。
【図７】本発明の実施の形態２に係る通信システム、情報処理システム及び画像形成システムにおける、画像形成装置及び携帯電話機の制御部のＣＰＵによる処理手順を示すフローチャートである。
【図８】携帯電話機において、印刷すべきファイルを選択する操作を説明するための説明図である。
【発明を実施するための形態】
【００６７】
以下、本発明の実施の形態１に係る画像形成装置（第１通信装置、情報処理装置）を、コピー機能、印刷機能等を有するデジタル複合機とし、本発明に係る通信システム、情報処理システム及び画像形成システムが前記デジタル複合機及び携帯電話機（第２通信装置、通信端末装置、携帯通信装置）を構成要素として有する場合を例として、図面を用いて具体的に説明する。
【００６８】
（実施の形態１）
図１は本発明の実施の形態１に係る通信システム、情報処理システム及び画像形成システムの概念図であり、図２は本発明の実施の形態１に係る通信システム、情報処理システム及び画像形成システムの要部構成を示すブロック図である。実施の形態１に係る通信システム、情報処理システム及び画像形成システムは、画像形成装置１及び携帯電話機２を有している。
【００６９】
画像形成装置１は、制御部１１、画像入力部１７、画像処理部１８、画像出力部１９、記憶部１４、無線通信部１６、リーダライタ１５及び操作パネル１２等のハードウェアを備え、全体としてデジタル複合機を構成している。
【００７０】
制御部１１は、これらのハードウェアを制御するＣＰＵと、制御の際に必要なデータ等を一時的に保持するＲＡＭとを備えている。記憶部１４は、例えば、不揮発性の半導体メモリであり、画像処理用の画像データ、ハードウェア各部を制御するための制御プログラム、後述するファイル名一覧の画面を表示するためのプログラム、無線通信部１６を介して受信した画像データ等を記憶する。なお、記憶部１４には、予めパスキーが複数格納されており、制御部１１のＣＰＵは操作パネル２８、１２を介してパスキーを受け付けた場合は、該パスキーと、記憶部１４に記憶のパスキーとの比較を行う。
【００７１】
また、制御部１１は必要に応じて記憶部１４から制御プログラムをロードし、ロードした制御プログラムを実行することにより、装置全体を本発明に係る画像形成装置として動作させる。
【００７２】
また、操作パネル１２は、ユーザの指示を受け付けるための各種ボタン、指示の確定を受け付けるエンターキー、テンキー等を備えている。また、操作パネル１２は、液晶ディスプレイ等の表示部１３を備え、携帯電話機２が有する画像、文書等のファイル名の一覧（コンテンツデータ）を表示する。なお、表示部１３はタッチパネルとして機能するように構成されている。
【００７３】
画像入力部１７は、原稿の画像を光学的に読取る読取手段であり、読取用の原稿に光を照射する光源、例えばＣＣＤ（Charge Coupled Device）のようなイメージセンサ等を備えている。画像入力部１７では、所定の読取り位置にセットされた原稿からの反射光像を当該イメージセンサに結像させ、ＲＧＢ（R : Red, G : Green, B : Blue）のアナログ電気信号を出力する。画像入力部１７が出力したアナログ電気信号は画像処理部１８に入力される。
【００７４】
画像出力部１９は、画像処理部１８から出力される画像データに基づいて用紙、ＯＨＰフィルム等のシート上に画像形成を行う。そのため、画像出力部１９は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて利用者が所望する画像をシート上に形成する。なお、レーザ書込装置を用いた電子写真方式により画像形成を行う他、インクジェット方式、熱転写方式、昇華方式等により画像形成を行う構成であってもよい。
【００７５】
画像処理部１８は、画像入力部１７を通じて入力されるアナログ電気信号を基にデジタル形式の画像データを生成し、画像の種類に応じた処理を施した後、出力用の画像データを生成する。生成した画像データは画像出力部１９又は無線通信部１６に出力される。
【００７６】
無線通信部１６は、例えばＢｌｕｅｔｏｏｔｈ技術に対応できるものであり、所定近距離（例えば１００ｍ）内の他のＢｌｕｅｔｏｏｔｈ対応デバイス（例えば、後述の無線通信部２７）と無線での接続を行う。詳しくは、Ｂｌｕｅｔｏｏｔｈ対応デバイスは固有のＢｌｕｅｔｏｏｔｈアドレス（識別データ）を有しており、ピコネットと呼ばれる近距離の臨時ネットワークを経由して、相互のＢｌｕｅｔｏｏｔｈアドレスを用いた通称ペアリングと呼ばれる接続相手の特定処理（認証）を行い、他のＢｌｕｅｔｏｏｔｈ対応デバイスと無線で接続及び通信することができるように構成されている。前記ピコネットは、他のＢｌｕｅｔｏｏｔｈ対応デバイスが所定距離範囲内に入ったとき、及び所定距離範囲から外れたときに、動的かつ自動的に確立又は消滅される。無線通信部１６は、Ｂｌｕｅｔｏｏｔｈ対応デバイスに限るものでなく、例えば、ＩＥＥＥ８０２．１１対応デバイスであっても良い。ただし、斯かる場合、無線通信部１６に対応する後述の無線通信部２７もＩＥＥＥ８０２．１１対応デバイスである必要がある。
【００７７】
リーダライタ１５は、後述する接触・非接触ＩＣカード２６と、いわゆる非接触方式の通信方式（ＲＦＩＤ（Radio Frequency Identification)システム）を用いて、接触・非接触の状態でのデータの送受信を行う。以下、リーダライタ１５と、接触・非接触ＩＣカード２６との間における非接触方式の通信について説明する。リーダライタ１５からは常時起動信号（電磁波）が送信されており、接触・非接触ＩＣカード２６及びリーダライタ１５が、互いに通信することが可能な程度にまで接近した場合に、接触・非接触ＩＣカード２６がリーダライタ１５から送出された電磁波を受信する。接触・非接触ＩＣカード２６は、前記電磁波を受信した場合、該電磁波の搬送波を整流して直流電源を生成し、それで内部回路を駆動させる。そして、接触・非接触ＩＣカード２６は、振幅変調を行い、前記起動信号に応じて応答信号をリーダライタ１５に送出する。例えば、Ｆｅｌｉｃａ（登録商標）、Ｅｄｙ（登録商標）等のＲＦＩＤシステム等が採用される。リーダライタ１５は、無線通信部１６の固有のＢｌｕｅｔｏｏｔｈアドレス（識別データ）を接触・非接触ＩＣカード２６に送信する。一のＢｌｕｅｔｏｏｔｈ対応デバイスが前記ペアリングを行って、接続相手との接続を確立するためには、まず所定範囲内にあって、前記一のＢｌｕｅｔｏｏｔｈ対応デバイスとの接続が可能として、該デバイスによって検索される複数のデバイスのアドレスうちから、希望するデバイス（画像形成装置１）を指定する煩わしい操作を省くことが出来る。
【００７８】
一方、携帯電話機２は、装置全体を制御するＣＰＵ、プログラム、各種データ等を記録するＲＯＭ、高速な書込／読取が可能なＲＡＭ等を有する制御部２１と、電話番号、画像データ等を記憶する大容量のフラッシュメモリ２４とを備えている。また、フラッシュメモリ２４には、携帯電話機２が有する画像、文書等のファイル名の一覧（コンテンツデータ）、各画像のサムネイル等のデータが記憶されている。
【００７９】
さらに本発明に係る携帯電話機２は、通信インタフェースを備え基地局との通信を行う基地局通信部２５と、ユーザの操作を受け付ける押釦等の操作パネル２８と、撮影により映像を取得するカメラ、音声の入力を受け付けるマイク等の入力部２３と、映像を出力する液晶モニタ、音声を出力するスピーカ等の出力部２２とを備えている。
【００８０】
また、接触・非接触ＩＣカード２６と、無線通信部２７とを備えている。接触・非接触ＩＣカード２６は、いわゆる非接触方式の通信方式を用い、リーダライタ１５と接触・非接触の状態でデータの送受信を行う。上述と同様に、Ｆｅｌｉｃａ（登録商標）、Ｅｄｙ（登録商標）等が採用される。また、無線通信部２７は、上述と同様に、例えばＢｌｕｅｔｏｏｔｈ技術に対応できるものであり、他のＢｌｕｅｔｏｏｔｈ対応デバイス（例えば、無線通信部１６）が所定近距離（例えば１００ｍ）内にある場合、前記他のＢｌｕｅｔｏｏｔｈ対応デバイスと無線での接続及び通信を行う。
【００８１】
以下、本発明の実施の形態１に係る通信システム、情報処理システム及び画像形成システムにおける、画像形成装置１及び携帯電話機２の通信処理及び画像形成処理について説明する。また、デジタル複合機を本発明に係る画像形成装置１とし、該デジタル複合機を用いてユーザの携帯電話機２に記憶されている画像データに基づく画像を印刷する場合を例として説明する。図３及び図４は画像形成装置１の制御部１１及び携帯電話機２の制御部２１のＣＰＵによる処理手順を示すフローチャートである。なお、上述したように、本発明の実施の形態１に係る通信システム、情報処理システム及び画像形成システムにおいて、画像形成装置１及び携帯電話機２は共にＢｌｕｅｔｏｏｔｈ対応デバイスである。
【００８２】
画像形成装置１のＣＰＵは携帯電話機２が所定範囲内に接近しているか否かを判定する（ステップＳ１０１）。上述したように、画像形成装置１にはリーダライタ１５が設けられており、携帯電話機２には接触・非接触ＩＣカード２６が設けられている。画像形成装置１のリーダライタ１５では、常時起動信号（電磁波）が送信されており、例えば、ユーザが携帯電話機２を、画像形成装置１のリーダライタ１５にかざした場合には、上述した手法によって、携帯電話機２の接触・非接触ＩＣカード２６から、前記起動信号に応じた応答信号がリーダライタ１５に送出される。画像形成装置１のＣＰＵは、該応答信号を受信した場合に、携帯電話機２が所定範囲内に接近していると判定する。
【００８３】
画像形成装置１のＣＰＵは、携帯電話機２が所定範囲内に接近していないと判定した場合（ステップＳ１０１：ＮＯ）、携帯電話機２が所定範囲内に接近するまで待機する。一方、画像形成装置１のＣＰＵは、携帯電話機２が所定範囲内に接近していると判定した場合（ステップＳ１０１：ＹＥＳ）、無線通信部１６が有するＢｌｕｅｔｏｏｔｈアドレス（以下、画像形成装置側アドレスという。）を読み出してリーダライタ１５に送り、リーダライタ１５は前記画像形成装置側アドレス（識別データ）を、携帯電話機２の接触・非接触ＩＣカード２６に送信する（ステップＳ１０２）。
【００８４】
一方、携帯電話機２のＣＰＵは、接触・非接触ＩＣカード２６を監視することによって、前記画像形成装置側アドレスを受信したか否かを判定する（ステップＳ２０１）。携帯電話機２のＣＰＵは、前記画像形成装置側アドレスを受信していないと判定した場合（ステップＳ２０１：ＮＯ）、前記画像形成装置側アドレスを受信するまで待機する。携帯電話機２のＣＰＵは、前記画像形成装置側アドレスを受信したと判定した場合（ステップＳ２０１：ＹＥＳ）、受信した前記画像形成装置側アドレスを接触・非接触ＩＣカード２６の記憶領域に記憶する。
【００８５】
図５は接触・非接触ＩＣカード２６の記憶領域の構成を説明するための説明図である。接触・非接触ＩＣカード２６の記憶領域は、共通領域２６Ｂ及びプライベート領域２６Ａ（フリーエリア）を備えている。受信した前記画像形成装置側アドレス（識別データ）は、接触・非接触ＩＣカード２６のプライベート領域２６Ａに書き込まれる。プライベート領域２６Ａは、サービス事業者が自由に利用することが可能な領域である。プライベート領域２６Ａを用いることで自由度の高い書き込みが可能となる。一方共通領域にデータを書き込むことも可能であるが、この場合はカードのネットワークスのリモート発行システムを利用しなければならず、書き込む場合の自由度が低いと言う問題がある。
【００８６】
次いで、携帯電話機２のＣＰＵは、画像形成装置１にペアリングの要求、及び後述する携帯電話機側アドレスを送信する（ステップＳ２０２）。斯かる処理は、携帯電話機２の無線通信部２７が、無線通信部２７のＢｌｕｅｔｏｏｔｈアドレス（以下、携帯電話機側アドレスという。）と、ペアリングを要求する旨のデータとを、画像形成装置１の無線通信部１６に送信することにより行われる。
【００８７】
一方、画像形成装置１のＣＰＵは無線通信部１６を監視することにより、携帯電話機２からペアリングの要求及び前記携帯電話機側アドレスの受信があったか否かを判定する（ステップＳ１０３）。画像形成装置１のＣＰＵは、ペアリングの要求及び前記携帯電話機側アドレスの受信がなかったと判定した場合（ステップＳ１０３：ＮＯ）、携帯電話機２からペアリングの要求及び前記携帯電話機側アドレスの受信があるまで待機する。画像形成装置１のＣＰＵは、ペアリングの要求及び前記携帯電話機側アドレスの受信があったと判定した場合（ステップＳ１０３：ＹＥＳ）、受信した携帯電話機側アドレスを記憶部１４に記憶し、操作パネル１２の表示部１３にパスキーの入力を促すパスキー入力画面を表示し（ステップＳ１０４）、ユーザにパスキーの入力を要求する。画像形成装置１のＣＰＵは操作パネル１２（又は表示部１３のタッチパネル）を介してユーザが入力したパスキーを受け付け、該パスキーを記憶部１４に一時的に記憶する。
【００８８】
また、画像形成装置１のＣＰＵは、前記パスキーを記憶部１４に予め記憶されているパスキーと比較し、正しいと判定した場合は、ペアリングが完了し、画像形成装置１及び携帯電話機２は接続が確立され、互いに通信可能な状態に設定される。一方、正しくないと判定した場合は、その旨及び再度の入力を促す画面を表示部１３に表示する。
【００８９】
上述したように、接続が確立された場合、画像形成装置１のＣＰＵは、他の装置からの接続確立要求（ペアリング要求）の無効化を開始する（ステップＳ１０５）。つまり、接続が確立された場合、それ以降、無線通信部１６が他の装置からペアリングを要求する旨のデータを受信しても、該データを無効にする。
【００９０】
その後、画像形成装置１のＣＰＵは、リーダライタ１５に供給する電源を遮断し、リーダライタ１５が前記画像形成装置側アドレスを送信することを中止する（ステップＳ１０６）。
【００９１】
これにより、Ｂｌｕｅｔｏｏｔｈ技術を用いた通信がネットワーク通信、同時ペアリン等が可能であることを悪用し、第３者が携帯電話機２に不正アクセスして携帯電話機２のデータを改竄したり、盗んだりすることを未然に防止することが可能である。
【００９２】
次いで、画像形成装置１のＣＰＵは、携帯電話機２が有する画像、文書等のファイル名の一覧のデータを要求する旨のデータを、無線通信部１６を介して携帯電話機２に送信することにより、ファイル名一覧データを要求する（ステップＳ１０７）。
【００９３】
一方、携帯電話機２のＣＰＵは、無線通信部２７が画像形成装置１から前記ファイル名の一覧のデータを要求する旨のデータを受信した場合、フラッシュメモリ２４に記憶されている画像、文書等のファイル名の一覧のデータを読み出し、無線通信部２７を介して画像形成装置１に送信する（ステップＳ２０３）。
【００９４】
画像形成装置１のＣＰＵは、携帯電話機２から送信される前記ファイル名の一覧のデータを、無線通信部１６を介して受信することにより取得し（ステップＳ１０８）、記憶部１４に記憶する。
【００９５】
次いで、画像形成装置１のＣＰＵは、記憶部１４に記憶している前記ファイル名の一覧のデータに基づき、印刷を希望するファイルの選択をユーザから受け付けるためのファイル名一覧の画面を、表示部１３に表示する（ステップＳ１０９）。
【００９６】
図６は画像形成装置１の表示部１３に表示される前記ファイル名一覧の画面の一例を示す例示図である。前記ファイル名一覧の画面には、前記ファイル名の一覧のデータに基づく複数のファイル名が、例えば、スクロール表示されており、ユーザの操作パネル１２又は表示部１３（タッチパネル）の操作によって選択されたファイルのサムネイルが表示されるように構成されている。また、前記ファイル名一覧の画面には、「部数」、「変倍」、「印刷」等のソフトキーが設けられており、ユーザから印刷の部数、変倍等の印刷条件を受け付けることが出来る。印刷を希望するファイルの選択、印刷条件の入力が終わった場合、ユーザは「印刷」ソフトキーを操作し、印刷の開始を指示する。このような場合、携帯電話機１の小さい液晶モニタ画面を見ながら小さいキーを操作するものでなく、画像形成装置１の大きな表示部１３にて希望するファイルの選択を行うので、画像の参照性及びキーの操作性が高くなる。
【００９７】
画像形成装置１のＣＰＵは、操作パネル１２及び表示部１３のタッチパネルを監視することにより、ユーザからファイルの選択を受け付けたか否かを判定する（ステップＳ１１０）。画像形成装置１のＣＰＵは、ファイルの選択を受け付けていないと判定した場合（ステップＳ１１０：ＮＯ）、ユーザからファイルの選択を受け付けるまで待機する。一方、画像形成装置１のＣＰＵは、ユーザからファイルの選択を受け付けたと判定した場合（ステップＳ１１０：ＹＥＳ）、ユーザから印刷指示を受け付けたか否かを判定する（ステップＳ１１１）。斯かる判定は、ＣＰＵが操作パネル１２及び表示部１３のタッチパネルを監視することによって行われる。
【００９８】
画像形成装置１のＣＰＵは、印刷指示を受け付けていないと判定した場合（ステップＳ１１１：ＮＯ）、ユーザから印刷指示を受け付けるまで待機する。一方、画像形成装置１のＣＰＵは、ユーザから印刷指示を受け付けたと判定した場合（ステップＳ１１１：ＹＥＳ）、選択されたファイル（以下、選択ファイルという。）の画像データを携帯電話機２に要求する（ステップＳ１１２）。該要求は、選択ファイルの画像データの送信を要求する旨のデータを、無線通信部１６を介して携帯電話機２に送信することにより行われる。
【００９９】
一方、携帯電話機２のＣＰＵは、無線通信部２７を監視することにより、画像形成装置１から選択ファイルの画像データの送信要求があったか否かを判定する（ステップＳ２０４）。携帯電話機２のＣＰＵは、前記選択ファイルの画像データの送信要求がなかったと判定した場合（ステップＳ２０４：ＮＯ）、前記選択ファイルの画像データの送信要求があるまで待機する。一方、携帯電話機２のＣＰＵは、前記選択ファイルの画像データの送信要求があったと判定した場合（ステップＳ２０４：ＹＥＳ）、フラッシュメモリ２４から前記選択ファイルの画像データを読み出し、無線通信部２７を介して画像形成装置１に送信する（ステップＳ２０５）。
【０１００】
一方、画像形成装置１のＣＰＵは無線通信部１６を介して、携帯電話機２から選択ファイルの画像データを受信した場合（ステップＳ１１３）、該画像データを記憶部１４に記憶する。
【０１０１】
次いで、画像形成装置１のＣＰＵは、記憶部１４に記憶している前記画像データを画像出力部１９に送り、前記画像データに基づく画像の印刷を画像出力部１９に指示することにより、前記画像データに基づく画像を印刷する（ステップＳ１１４）。
【０１０２】
画像形成装置１のＣＰＵは、前記印刷の際において、前記印刷が正常終了したこと、又は異常が発生したこと等の印刷結果を通知する旨のデータを、無線通信部１６を介して、携帯電話機２に送信する（ステップＳ１１５）。
【０１０３】
一方、携帯電話機２のＣＰＵは、画像形成装置１から、前記印刷結果を通知する旨のデータを、無線通信部２７を介して取得し（ステップＳ２０６）、フラッシュメモリ２４に記憶する。
【０１０４】
次いで、携帯電話機２のＣＰＵは、フラッシュメモリ２４に記憶している前記印刷結果を通知する旨のデータに基づき、出力部２２を介した出力を行う（ステップＳ２０７）。該出力は、例えば、携帯電話機２の前記液晶モニタへ、前記印刷結果を通知する旨のテキストを表示するものであっても良く、前記印刷結果を通知する旨の音声、警告音等を、携帯電話機２のスピーカを介して出力するものであっても良い。
【０１０５】
印刷結果を通知した後、画像形成装置１のＣＰＵは、印刷を終了するか否かを判定する（ステップＳ１１６）。斯かる判定は、例えば、画像形成装置１のＣＰＵが表示部１３に、「印刷を終了しますか？」との問い合わせのテキスト、並びに「ＹＥＳ」及び「ＮＯ」のソフトキーを表示し、表示部１３（タッチパネル）の操作を監視することにより、行われる。
【０１０６】
画像形成装置１のＣＰＵは、印刷を終了しないと判定した場合（ステップＳ１１６：ＮＯ）、ステップＳ１０９の処理に戻り、表示部１３に前記ファイル名一覧の画面を再び表示し、印刷を希望するファイルの選択をユーザから受け付ける。一方、画像形成装置１のＣＰＵは、印刷を終了すると判定した場合（ステップＳ１１６：ＹＥＳ）、通信を終了するか否かを判定する（ステップＳ１１７）。斯かる判定は、例えば、画像形成装置１のＣＰＵが表示部１３に、「通信を終了しますか？」との問い合わせのテキスト、並びに「ＹＥＳ」及び「ＮＯ」のソフトキーを表示し、表示部１３（タッチパネル）の操作を監視することにより、行われる。
【０１０７】
画像形成装置１のＣＰＵは、通信を終了しないと判定した場合（ステップＳ１１７：ＮＯ）、再びステップＳ１１６の処理に戻る。一方、画像形成装置１のＣＰＵは、通信を終了すると判定した場合（ステップＳ１１７：ＹＥＳ）、通信を終了する旨のデータを、無線通信部１６を介して携帯電話機２に送信することにより、通信の終了を通知する（ステップＳ１１８）。
【０１０８】
次いで、画像形成装置１のＣＰＵは、ステップＳ１０３にて受信した携帯電話機側アドレス、及びステップＳ１０４にて受け付けたパスキーを記憶部１４から消去する（ステップＳ１１９）。従って、悪意を持つ第３者が通信履歴を悪用して前記携帯電話機側アドレスを盗用することを未然に防止することが出来る。なお、上述の記載に限るものでなく、所定時間表示部１３（タッチパネル）の操作がない場合「ＹＥＳ」のソフトキーが操作されたものとみなすように構成しても良い。
【０１０９】
その後、画像形成装置１のＣＰＵは、ステップＳ１０５にて開始していた、他の装置からの接続確立要求（ペアリング要求）の無効化を解除し（ステップＳ１２０）、処理を終了する。
【０１１０】
一方、携帯電話機２のＣＰＵは、例えば、ステップＳ２０７にて正常終了の旨の出力を行った後、無線通信部２７を監視することにより、所定時間、通信の終了通知を受信したか否かを判定する（ステップＳ２０８）。携帯電話機２のＣＰＵは、所定時間が経過後も通信の終了通知を受信していないと判定した場合（ステップＳ２０８：ＮＯ）、ステップＳ２０４の処理に戻り、画像形成装置１から画像データの送信要求があったか否かを判定する。一方、携帯電話機２のＣＰＵは、通信の終了通知を受信したと判定した場合（ステップＳ２０８：ＹＥＳ）、ステップＳ２０１にて受信した前記画像形成装置側アドレスを、接触・非接触ＩＣカード２６の記憶領域より消去し（ステップＳ２０９）、通信を終了する。
【０１１１】
以上にて記載したように、本発明に係る通信システム、情報処理システム及び画像形成システムにおいては、画像形成装置１から画像形成装置側アドレスを受信し、ユーザが該画像形成装置側アドレスを用いて画像形成装置１にデータを送信するので、携帯電話機２からユーザの意図に反して、携帯電話機２側の秘密情報（例えば、アドレス、パスキー等）が流出されることを未然に防止することが可能である。さらに、通信の終了後は受信した相手のＢｌｕｅｔｏｏｔｈのアドレス（及び受け付けたパスキー）を消去するので、画像形成装置のＢｌｕｅｔｏｏｔｈのアドレスがペアリングの際、相手携帯電話機に登録されることが繰り返されることにより、携帯電話機のリソースが無駄に占有されることを防ぎ、携帯電話機のリソースをより有効に利用することが出来る。
【０１１２】
以上の実施の形態１の記載においては、パスキーの確実な設定のためユーザの手動入力によりパスキーを入力する場合を例として説明したが、手軽さを優先するのであればパスキーの受け渡しを、画像形成装置１のリーダライタ１５及び携帯電話機２の接触・非接触ＩＣカード２６を介して行われるように構成しても良い。
【０１１３】
なお、パスキーを入力できないデバイス（マウス、ヘッドセット等）においては、前記パスキーを固定値にする構成であってもよく、パスキーの入力が不要にするような構成であっても良い。例えば、このようなパスキーを入力できないデバイスの場合は、デフォルトとして、例えば「００００」のような単純な羅列のパスキーとしても良い。
【０１１４】
（実施の形態２）
以下、本発明の実施の形態２に係る通信システム、情報処理システム及び画像形成システムにおける、画像形成装置１及び携帯電話機２の通信処理及び画像形成処理について説明する。デジタル複合機を本発明に係る画像形成装置１とし、該デジタル複合機を用いてユーザの携帯電話機２に記憶されている画像データに基づく画像を印刷する場合を例として説明する。本発明の実施の形態２に係る通信システム、情報処理システム及び画像形成システムにおいては、パスキーの受け渡しを、画像形成装置１のリーダライタ１５及び携帯電話機２の接触・非接触ＩＣカード２６を介して行われるように構成されている。図７は画像形成装置１の制御部１１及び携帯電話機２の制御部２１のＣＰＵによる処理手順を示すフローチャートである。
【０１１５】
まず、携帯電話機２のユーザは、携帯電話機２を操作し、印刷すべきファイルを選択する（ステップＳ４０１）。図８は携帯電話機２において、印刷すべきファイルを選択する操作を説明するための説明図である。携帯電話機２の液晶モニタ（出力部２２）には、フラッシュメモリ２４に記憶されている画像データのサムネイルが表示され、キー（押ボタン等の操作パネル２８）を操作してカーソルを移動させることにより、何れかのサムネイルを選択できる。希望するサムネイルを選択した場合、選択されたサムネイルに係るファイル（以下、選択ファイル）名及び前記サムネイルより大きい画像が出力部２２に表示される。その後、ユーザは上述したように印刷すべきファイルが選択された状態の携帯電話機２を、画像形成装置１のリーダライタ１５にかざす。
【０１１６】
一方、画像形成装置１のＣＰＵは携帯電話機２が所定範囲内に接近しているか否かを上述した手法によって判定する（ステップＳ３０１）。画像形成装置１のＣＰＵは、携帯電話機２が所定範囲内に接近していないと判定した場合（ステップＳ３０１：ＮＯ）、携帯電話機２が所定範囲内に接近するまで待機する。一方、画像形成装置１のＣＰＵは、携帯電話機２が所定範囲内に接近していると判定した場合（ステップＳ３０１：ＹＥＳ）、無線通信部１６が有するＢｌｕｅｔｏｏｔｈアドレス（以下、画像形成装置側アドレスという。）パスキーを読み出してリーダライタ１５に送り、リーダライタ１５は前記画像形成装置側アドレス及びパスキーを、携帯電話機２の接触・非接触ＩＣカード２６に送信する（ステップＳ３０２）。
【０１１７】
一方、携帯電話機２のＣＰＵは、接触・非接触ＩＣカード２６を監視することによって、前記画像形成装置側アドレス及びパスキーを受信したか否かを判定する（ステップＳ４０２）。携帯電話機２ＣＰＵは、前記画像形成装置側アドレス及びパスキーを受信していないと判定した場合（ステップＳ４０２：ＮＯ）、前記画像形成装置側アドレス及びパスキーを受信するまで待機する。携帯電話機２ＣＰＵは、前記画像形成装置側アドレス及びパスキーを受信したと判定した場合（ステップＳ４０２：ＹＥＳ）、受信した前記画像形成装置側アドレス及びパスキーを接触・非接触ＩＣカード２６の記憶領域に記憶する。
【０１１８】
次いで携帯電話機２のＣＰＵは、フラッシュメモリ２４に記憶の携帯電話機側アドレス及び前記パスキーを、無線通信部２７を介して画像形成装置１に送信し（ステップＳ４０３）、画像形成装置１との接続の確立を図る。
【０１１９】
一方、画像形成装置１のＣＰＵは無線通信部１６を介して、携帯電話機２から前記携帯電話機側アドレス及びパスキーを受信した場合（ステップＳ３０３）、前記携帯電話機側アドレス及びパスキーを記憶部１４に記憶する。なお、携帯電話機側アドレス及びパスキーを受信することによってペアリングが完了し、画像形成装置１及び携帯電話機２は接続が確立され、互いに通信可能な状態に設定される。
【０１２０】
次いで携帯電話機２のＣＰＵは、接続が確立された旨のデータを、無線通信部２７を介して画像形成装置１に送信することによって、接続確立の通知を行う（ステップＳ４０４）。
【０１２１】
画像形成装置１のＣＰＵは無線通信部１６を介して、携帯電話機２から接続が確立された旨の接続確立の通知を受信する（ステップＳ３０４）。その後、画像形成装置１のＣＰＵは、他の装置からの接続確立要求（ペアリング要求）の無効化を開始する（ステップＳ３０５）。つまり、接続が確立された場合、それ以降、無線通信部１６が他の装置からペアリングを要求する旨のデータを受信しても、該データを無効にする。また、画像形成装置１のＣＰＵは、リーダライタ１５に供給する電源を遮断し、リーダライタ１５が前記画像形成装置側アドレスを送信することを中止する（ステップＳ３０６）。
【０１２２】
接続確立を通知した後、携帯電話機２のＣＰＵは、フラッシュメモリ２４から前記選択ファイルの画像データを読み出し、無線通信部２７を介して画像形成装置１に送信する（ステップＳ４０５）。
【０１２３】
画像形成装置１のＣＰＵは無線通信部１６を介して、携帯電話機２から前記選択ファイルの画像データを受信し（ステップＳ３０７）、前記画像データを記憶部１４に記憶する。次いで、画像形成装置１のＣＰＵは、記憶部１４に記憶している前記画像データを画像出力部１９に送り、前記画像データに基づく画像の印刷を画像出力部１９に指示する（ステップＳ３０８）。
【０１２４】
画像形成装置１のＣＰＵは、前記印刷の際において、前記印刷が正常終了した場合、又は異常が発生した場合等の印刷結果に応じて、夫々の印刷結果を通知する旨のデータを、無線通信部１６を介して、携帯電話機２に送信する（ステップＳ３０９）。
【０１２５】
また、画像形成装置１のＣＰＵは、ステップＳ３０３にて受信した携帯電話機側アドレス及びパスキーを、記憶部１４から消去する（ステップＳ３１０）。従って、悪意を持つ第３者による前記携帯電話機側アドレスの盗用を未然に防止することが出来る。
【０１２６】
その後、画像形成装置１のＣＰＵは、ステップＳ３０５にて開始していた、他の装置からの接続確立要求（ペアリング要求）の無効化を解除し（ステップＳ３１１）、処理を終了する。
【０１２７】
一方、携帯電話機２のＣＰＵは、画像形成装置１から、前記印刷結果を通知する旨のデータを、無線通信部２７を介して取得し（ステップＳ４０６）、フラッシュメモリ２４に記憶する。
【０１２８】
次いで、携帯電話機２のＣＰＵは、フラッシュメモリ２４に記憶している前記印刷結果を通知する旨のデータに基づく出力を、出力部２２を介して行う（ステップＳ４０７）。
【０１２９】
また、携帯電話機２のＣＰＵは、ステップＳ４０２にて受信した前記画像形成装置側アドレス及びパスキーを、接触・非接触ＩＣカード２６の記憶領域から消去し（ステップＳ４０８）、処理を完了する。従って、悪意を持つ第３者による前記携帯電話機側アドレスの盗用を未然に防止することが出来る。
【０１３０】
以上のように構成することによって、実施の形態２に係る通信システム、情報処理システム及び画像形成システムにおいては、既に印刷すべきファイルが選択された状態の携帯電話機２を画像形成装置１に近づけるだけで、すぐに印刷することができ、印刷作業が非常に容易となる。
【０１３１】
実施の形態１と同様の部分については、同一の符号を付して詳細な説明を省略する。
【０１３２】
以上の記載においては、デジタル複合機（画像形成装置１）及び携帯電話機２を例にあげて、本発明に係る画像形成装置、携帯情報端末装置、通信システム、情報処理システム及び画像形成システムについて説明したが、これに限るものでない。例えば、携帯電話機が通信機能を有するデジタルカメラであっても良い。またモバイルコンピュータ又はＰＤＡと称される携帯端末であってもよい。また、携帯電話機からデータを送信するだけでなく、デジタル複合機が有するスキャナで読み取った原稿画像のデータを、携帯電話機に送信する方法でも良い。さらに、デジタル複合機にある記憶装置内に蓄積されたファックス画像のデータ、電子データ等を携帯電話機に送信することも含まれる。また、例えば、デジタル複合機（画像形成装置１）におけるリーダライタ１５及び無線通信部１６のように、携帯電話機２における接触・非接触ＩＣカード２６及び無線通信部２７のように、２つ以上の通信手段を備え、互いに通信を行う機器の間では、本発明の同様な効果を奏することが出来る。
【０１３３】
なお、本実施の形態ではアドレス及びパスワードの削除は一義的に行われていたが、削除命令を送信する制御部を携帯電話機が有するように構成しても良い。この構成により、削除制御部を有していない画像形成装置を使用しても、携帯電話機側からのアドレスの削除命令により、画像形成装置側に記憶されたアドレスを確実に削除できるので、更なるセキュリティの向上に繋がる。また、何れかに記憶されているアドレスを削除するか保存するかを、ユーザが判断に委ね、判断の結果に係る指示を受け付けるように構成しても良い。例えば、ユーザがその画像形成装置との通信を短いインタバルを挟んで、何度も行うようであるならば、このアドレス、パスキー等のデータを残すことにより、携帯電話機を画像形成装置にかざす操作を省いても、相互の通信を行うことが出来るとのメリットを得ることが出来る。
【０１３４】
なお、本実施の形態では、ユーザが携帯電話機２を、画像形成装置１のリーダライタ１５にかざした場合、リーダライタ１５から携帯電話機２の接触・非接触ＩＣカード２６に、前記画像形成装置側アドレスが送出される場合を例として説明したが、これに限定するものでない。例えば、ユーザが携帯電話機２を、画像形成装置１のリーダライタ１５にかざした場合、逆に携帯電話機２の接触・非接触ＩＣカード２６から画像形成装置１のリーダライタ１５に、前記携帯電話機側アドレスが送出されるように構成してもよい。
【０１３５】
また、本実施の形態では、デジタル複合機（画像形成装置１）が携帯電話機から画像データを受信して、該画像データに基づく画像の印刷（画像形成）を行う場合を例として説明したが、これに限るものでない。例えば、モバイルコンピュータ又はＰＤＡと称される携帯端末から、テキストデータを受信して編集を行う場合、画像データを受信して該画像データの変倍、回転を行う場合等、いわゆるデータ処理（又は情報処理）においても、同様の効果を得ることが出来ることは言うまでもない。
【符号の説明】
【０１３６】
１  画像形成装置
２  携帯電話機
１１  制御部
１５  リーダライタ
１６  近距離無線通信部
２１  制御部
２６  接触・非接触ＩＣカード
２６Ａ  プライベート領域
２７  近距離無線通信部
【図１】
2010206512.tif 000003
【図２】
2010206512.tif 000004
【図３】
2010206512.tif 000005
【図４】
2010206512.tif 000006
【図５】
2010206512.tif 000007
【図６】
2010206512.tif 000008
【図７】
2010206512.tif 000009
【図８】
2010206512.tif 000010